(57)【要約】【課題】  糸くず等のリントを容易に除去することができると共に、リントを捕集する棒状突起の破損を防ぐことができるリントフィルターを提供する。【解決手段】  リントフィルター１０は、基台と、この基台に形成され、流体中のリントを捕集する複数の棒状突起２、２・・と、この棒状突起２、２・・が挿入される挿入孔３ａを備えたカバー体３とを有し、カバー体３は、棒状突起２に挿入された状態で、棒状突起２の根元近傍と先端近傍との間を移動可能であって、カバー体３を棒状突起２の根元側から先端側へ移動させることで、捕集したリントを棒状突起２の先端側へ除去するものであり、カバー体３は、このカバー体３を棒状突起２の先端近傍に最大限移動させた状態では、挿入孔３ａの挿入側開口１３ａを棒状突起２の先端よりも根元側に位置するようにした。【選択図】図１０
2019110985.tif 000002
【特許請求の範囲】
【請求項１】
基台と、
前記基台に形成され、流体中のリントを捕集する複数の棒状突起と、
前記棒状突起が挿入される挿入孔を備えたカバー体と、を有し、
前記カバー体は、前記棒状突起に挿入された状態で、前記棒状突起の根元近傍と先端近傍との間を移動可能であって、
前記カバー体を前記棒状突起の根元側から先端側へ移動させることで、捕集したリントを前記棒状突起の先端側へ除去するものであり、
前記カバー体は、該カバー体を前記棒状突起の先端近傍に最大限移動させた状態では、前記挿入孔の挿入側開口は、前記棒状突起の先端よりも根元側にあることを特徴とするリントフィルター。
【請求項２】
カバー体は、該カバー体を前記棒状突起の先端近傍に最大限移動させた状態では、挿入孔の出口側開口が棒状突起の先端と略同一位置、又は先端を越えた位置にあることを特徴とする請求項１に記載のリントフィルター。
【請求項３】
カバー体を移動させる可動機構が、基台の棒状突起が形成された面の背面側に形成されていることを特徴とする請求項１又は２に記載のリントフィルター。
【請求項４】
請求項１〜３のいずれか１項に記載のリントフィルターを備えた洗濯機。
【発明の詳細な説明】
【技術分野】
【０００１】
本発明は、塵埃の捕集及び除去を行うためのリントフィルターと、このリントフィルターを備えた洗濯機に関するものである。
【背景技術】
【０００２】
従来から、洗濯機に設置された塵埃を捕集及び除去するためのリントフィルターが知られている（特許文献１）。
【０００３】
特許文献１のリントフィルターは、平板にくし状に配列固定された複数の棒によって糸くずを捕捉するリントフィルター本体と、このリントフィルター本体の各々の棒、又は複数本の棒が一緒に挿入可能な、孔が複数個開けられ、糸くず捕捉時はリントフィルター本体の平板に接触して嵌合され、リントフィルター本体から分離することにより、リントフィルター本体の棒に捕捉された糸くずを除去するリント除去板とから構成されている。
【先行技術文献】
【特許文献】
【０００４】
【特許文献１】実開昭５６−２８２８６号公報
【発明の概要】
【発明が解決しようとする課題】
【０００５】
上記特許文献１に記載のリントフィルターは、糸くずの除去時に、リントフィルター本体とリント除去板とが完全に分離するものであるため、リント除去板をリントフィルター本体に装着する時に、リントフィルター本体が撓むことにより、くし状に配列固定された複数の棒をリント除去板の孔に挿入することができず、棒が変形や破損を生じ易いという課題を有していた。
【０００６】
本発明は、前記従来の課題を解決するものであり、糸くず等のリントを容易に除去することができると共に、リントを捕集する棒状突起の破損を防ぐことができるリントフィルターと、このリントフィルターを備えた洗濯機を提供することを目的とする。
【課題を解決するための手段】
【０００７】
前記従来の課題を解決するために、請求項１のリントフィルターの発明は、基台と、前記基台に形成され、流体中のリントを捕集する複数の棒状突起と、前記棒状突起が挿入される挿入孔を備えたカバー体と、を有し、前記カバー体は、前記棒状突起に挿入された状態で、前記棒状突起の根元近傍と先端近傍との間を移動可能であって、前記カバー体を前記棒状突起の根元側から先端側へ移動させることで、捕集したリントを前記棒状突起の先端側へ除去するものであり、前記カバー体は、該カバー体を前記棒状突起の先端近傍に最大限移動させた状態では、前記挿入孔の挿入側開口は、前記棒状突起の先端よりも根元側にあることを特徴としている。
【０００８】
請求項１の発明では、カバー体が棒状突起から外れることがないので、リントを除去した後、カバー体を棒状突起の根元近傍に装着する時に、棒状突起の破損を防ぐことができる。
【０００９】
請求項２のリントフィルターの発明は、請求項１の発明において、カバー体は、該カバー体を前記棒状突起の先端近傍に最大限移動させた状態では、挿入孔の出口側開口が棒状突起の先端と略同一位置、又は先端を越えた位置にあることを特徴としている。したがって、棒状突起の先端までカバー体が移動することにより、棒状突起に付着したリントを確実に除去することができる。また、カバー体から棒状突起が大きく突出しないので、使用者はカバー体を撫でるように清掃するだけで簡単にリントを廃棄できる。
【００１０】
請求項３のリントフィルターの発明は、請求項１又は２の発明において、カバー体を移動させる可動機構が、基台の棒状突起が形成された面の背面側に形成されていることを特徴としている。したがって、可動機構に排水やリントが流入する事を防いで可動時の動作不良を防ぐことができる。また、使用者が排水やリントに触れること無く、可動機構を操作することができる。
【００１１】
請求項４の洗濯機の発明は、請求項１〜３のいずれかのリントフィルターを備えたことを特徴としている。したがって、棒状突起の破損を防ぐことができると共に、糸くず等のリントを容易に除去することができる洗濯機を提供することができる。
【発明の効果】
【００１２】
請求項１のリントフィルターの発明は、棒状突起の破損を防ぐことができる。また、請求項２の発明は、棒状突起に付着したリントを確実に除去することができると共に、簡単にリントを廃棄できる。さらに、請求項３の発明は、可動機構に排水やリントが流入する事を防いで可動時の動作不良を防ぐことができると共に、使用者が排水やリントに触れること無く、可動機構を操作することができる。
【００１３】
また、請求項４の洗濯機の発明は、棒状突起の破損を防ぐことができ、簡単にリントを廃棄でき、可動機構に排水やリントが流入する事を防いで可動時の動作不良を防ぐことができると共に、使用者が排水やリントに触れること無く、可動機構を操作することができる洗濯機を提供することができる。
【図面の簡単な説明】
【００１４】
【図１】本発明に係る洗濯機を示す斜視図
【図２】本発明に係る洗濯機の内部構成を示す断面図
【図３】本発明に係るリントフィルターを示す斜視図
【図４】本発明に係るリントフィルターを示す平面図
【図５】本発明に係るリントフィルターを示す分解図
【図６】（ａ）図４のＡ−Ａ断面斜視図（ｂ）リントフィルターの取り出し部を示す正面図
【図７】図４のＡ−Ａ断面図
【図８】図４のＡ−Ａ断面においてカバー体が基台から最大限離れている状態を示す断面図
【図９】図４のＢ−Ｂ切断面図
【図１０】図４のＢ−Ｂ切断面においてカバー体が基台から最大限離れている状態を示す切断面図
【図１１】（ａ）（ｂ）  棒状突起とカバー体の位置関係の例を示す一部拡大断面図
【発明を実施するための形態】
【００１５】
以下、本発明の実施形態について、図面を参照しながら説明する。なお、この実施の形態によって本発明が限定されるものではない。
【００１６】
図１は、本発明に係る洗濯機を示す斜視図であり、図２は、同洗濯機の内部構成を示す断面図である。これらの図を用いて本発明に係る洗濯機について説明する。本発明に係る洗濯機２０は、乾燥機能を備えており、前面にドア２０ａを備え、槽体２０ｄ内に回転自在に配置され衣類などを収容する回転ドラム２０ｂ内に、送風手段（ファン）２３及び加熱手段２２により発生した温風を、循環ダクト２１ａ、２１ｂ、２１ｃを経て循環供給して衣類を乾燥可能とするとともに、循環ダクト２１ａ、２１ｂ、２１ｃの槽体２０ｄからの排気側にフィルター清掃装置２４が設置されている。また、洗濯機２０の正面右側下部には、リントフィルター１０を取り出すことができる蓋１１を備えており、この蓋１１の内部に設けられた円筒状のフィルターケース１２内にリントフィルター１０が設置されている。フィルターケース１２は、機内排水ホース２５ａによって回転ドラム２０ｂと連通している。また、フィルターケース１２は、排水弁２６を備えた排水管２５ｂとも連通している。このように構成されるため、槽体２０ｄからの排水する時は、排水が機内排水ホース２５ａを通ってフィルターケース１２に流れ込み、リントフィルター１０によって排水中のリントが除去される。そして、排水は排水管２５ｂを通って洗濯機２０の外に排出される。
【００１７】
符号２０ｃは、回転ドラム２０ｂを回転させるモータであり、このモータ２０ｃは、乾燥処理、洗濯処理、すすぎ処理や脱水処理といった様々な処理の間、回転ドラム２０ｂを回転させる。また、加熱手段２２には、一例として、熱交換器を使用することができる。尚、熱交換器の方式として、ヒートポンプ式やヒーター式等、様々な方式を採用することができる。また、洗濯機２０は、ドラム式としているが、これに限定するものではなく、例えば縦型など様々の方式を採用することができる。
【００１８】
図３は、本発明に係るリントフィルターを示す斜視図であり、図４は、同平面図である。また、図５は、本発明に係るリントフィルターを示す分解図であり、図６（ａ）は、図４のＡ−Ａ断面斜視図であり、図６（ｂ）は、リントフィルターの取り出し部を示す正面図である。これらの図を用いて本発明に係るリントフィルターの構成について説明する。
【００１９】
リントフィルター１０は、基台１と、この基台１に形成され、流体中のリントを捕集する複数の棒状突起２、２・・と、この複数の棒状突起２、２・・が挿入される複数の挿入孔３ａ、３ａ・・を備えたカバー体３とを有している。機内排水ホース２５ａからの排水は、基台１の棒状突起２に囲まれた部分に流れ込み、両側面側及び排水側にある棒状突起２を通過してから、図３において図面上の左下方向へ流れ出る。この時、排水中のリントは棒状突起２で捕集され、カバー体３の上に堆積していく。また、カバー体３は、棒状突起２に挿入された状態で、棒状突起２の根元２ａの近傍と先端２ｂの近傍との間を移動可能であって、カバー体３を棒状突起２の根元２ａ側から先端２ｂ側へ移動させることで、捕集したリントを棒状突起２の先端側へ除去するものである。
【００２０】
基台１は、上面１ａ側に複数の棒状突起２、２・・が形成されており、この上面１ａの両側縁部は、パッキン４、４で覆われている。このパッキン４、４を前述したフィルターケース１２の内壁面と密着させており、後述する可動機構側へ排水やリントが流入することを防いでいる。
【００２１】
また、基台１の背面１ｂ側にカバー体３を移動させる可動機構５が形成されている。このように、可動機構５を基台１の背面１ｂ側に形成したことと、前述したパッキン４によって、可動機構５に排水やリントが流入する事を防いで可動時の動作不良を防ぐことができる。また、使用者が排水やリントに触れること無く、可動機構５を操作することができる。
【００２２】
可動機構５は、接触ブロック７、７と、固定ブロック８と、操作レバー９とから構成されており、ボルト７ａ、７ａは、基台１に形成されている挿通穴に挿通されつつ、接触ブロック７、７は、ボルト７ａ、７ａ及びナット７ｂ、７ｂによって、カバー体３と一体化されている。また、固定ブロック８は、ボルト８ａ及びナット８ｂによって、基台１と一体化されている。
【００２３】
接触ブロック７、７は、操作レバー９と接触する傾斜面７ｃが形成されており、操作レバー９は、接触ブロック７の傾斜面７ｃと接触する傾斜面９ａが形成されている。
【００２４】
また、基台１の後端部には、取り出し部６が形成されており、この取り出し部６は、螺旋状のネジ溝６ａと、つまみ６ｂとを備えている。そして、つまみ６ｂを右に回転させることによって、螺旋状のネジ溝６ａは、前述したフィルターケース１２に形成されているネジ溝（図示せず）と螺合して固定される。また、つまみ６ｂを左に回転させることによって、螺旋状のネジ溝６ａは、フィルターケース１２との螺合が解除され、蓋１１側に取り出すことができる構成としている。
【００２５】
図７は、図４のＡ−Ａ断面図であって、カバー体が基台の上面に設置されている状態を示しており、図８は、図４のＡ−Ａ断面図であって、カバー体が基台から最大限離れている状態を示している。これらの図を用いて可動機構の動作を説明する。
【００２６】
図７に示すように、カバー体３が基台１の上面に設置されている状態では、接触ブロック７、７の傾斜面７ｃ、７ｃは、操作レバー９の傾斜面９ａ、９ａの下部と接触している。この状態で、操作レバー９の一方の端部９ｂを使用者が図面上の左方向へ押圧することにより、操作レバー９は、図面上の左側に移動すると共に、接触ブロック７、７の傾斜面７ｃ、７ｃは、操作レバー９の傾斜面９ａ、９ａに接触しつつ、下部から上部へと移動する。これにより、接触ブロック７、７は上方に押し上げられ、図８に示すように傾斜面７ｃが形成されている凸部がカバー体３に接触することとなる。そのため、接触ブロック７、７と一体化しているカバー体３は、図８に示すように、棒状突起２、２・・の先端２ｂ近傍に最大限移動させた状態となる。カバー体３からリントを除去した後は、使用者がカバー体３を棒状突起２の根元２ａまで下げることによって、操作レバー９は、図７に示した初期位置へと戻ることとなる。このように、カバー体３が棒状突起２、２・・から外れないようにしているため、棒状突起２の少なくとも先端はカバー体３の挿入孔３ａに挿入された状態となる。このような構造のため、棒状突起２、２・・が挿入孔３ａ、３ａ・・から完全に抜ける構造で起こる棒状突起２の変形や破損（棒状突起２を挿入孔３ａに挿入できずカバー体３で誤って押してしまう）を防止できる。このような変形や破損は、特にリントフィルター１０が樹脂で成形されていると、棒状突起２等の各部材が撓んで発生しやすくなる。尚、接触ブロック７、７の傾斜面７ｃ、７ｃの両側部にレール状凸部（図示せず）を設け、このレール状の凸部が挿入される凹部（図示せず）を操作レバー９の傾斜面９ａに設けることによって、操作レバー９を左右に移動させるのみでカバー体３の上下動を行わせる構成とすることも可能である。
【００２７】
図９は、図４のＢ−Ｂ切断面図であって、カバー体が基台の上面に設置されている状態を示しており、図１０は、図４のＢ−Ｂ切断面図であって、カバー体が基台から最大限離れている状態を示している。これらの図を用いてカバー体の動作を説明する。
【００２８】
図９に示すように、カバー体３が基台１の上面に設置されている状態では、リント１４は、隣り合う棒状突起２、２の間であって、カバー体３の上面に堆積している。そして、前述したように、操作レバー９を図面上の左側に移動させ、カバー体３を図１０に示すように、棒状突起２、２・・の先端２ｂ近傍に最大限移動させた状態では、カバー体３の上面に堆積しているリント１４は、隣り合う棒状突起２、２の間から上方へと移動する。
【００２９】
そして、図１０に示す状態では、カバー体３の挿入孔３ａ、３ａ・・の挿入側開口１３ａ、１３ａ・・は、棒状突起２、２・・の先端２ｂよりも根元２ａ側に位置している。また、挿入孔３ａ、３ａ・・の出口側開口１３ｂ、１３ｂ・・が棒状突起２、２・・の先端２ｂと略同一位置、又は先端２ｂを越えた位置にあるようにしている。尚、符号Ａは、基台１の上面１ａから挿入側開口１３ａまでの高さを示しており、符号Ｂは、基台１の上面１ａから棒状突起２の先端２ｂまでの高さを示している。また、符号Ｃは、基台１の上面１ａから出口側開口１３ｂまでの高さを示しており、各々の位置関係は、基台１の上面１ａからの高さで判断することとする。また、カバー体３からリント１４を撫でるように除去した後は、使用者がカバー体３を棒状突起２の根元２ａまで下げることによって、操作レバー９は、図７に示した初期位置へと戻ることとなる。なお、本実施の形態では、出口側開口１３ｂが棒状突起２の先端２ｂを越えた位置にあるが、挿入側開口１３ａが棒状突起２の先端２ｂより下方に位置していれば、出口側開口１３ｂが先端２ｂより下方に位置してもよい。すなわち、棒状突起２がカバー体３から大きく突出しても本発明に含まれる。
【００３０】
図１１（ａ）及び（ｂ）は、棒状突起とカバー体の位置関係の例を示す一部拡大断面図である。前述したように、カバー体３を棒状突起２、２・・の先端２ｂ近傍に最大限移動させた状態では、挿入孔３ａ、３ａ・・の出口側開口１３ｂ、１３ｂ・・が棒状突起２、２・・の先端２ｂと略同一位置、又は先端２ｂを越えた位置にあるようにしている。ここで、棒状突起２、２・・の先端２ｂと略同一位置とは、図１１（ａ）に示すように、棒状突起２の先端２ｂが曲面状の面取り２ｃをされている場合や、図１１（ｂ）に示すように、傾斜面状の面取り２ｄをされている場合において、カバー体３の出口側開口１３ｂ、１３ｂ・・が面取り箇所の下部と同位置にある場合も含むことを意味している。具体的には、棒状突起２、２・・の先端２ｂがカバー体３の出口側開口１３ｂからの突出量が３ｍｍ以内であれば略同一位置にあるとしている。これは、使用者がリント１４を廃棄する際に、カバー体３を撫でるように除去することができ、棒状突起２、２・・にリント１４が残ることがないからである。
【００３１】
なお、前述の実施の形態は排水中のリントを捕集するリントフィルターであったが、流体中のリントを捕集するフィルターであれば排水に限らず使用できる。例えば、縦型洗濯機のように槽体２０ｄの内側や上方にリントフィルターを配置し、洗濯工程の洗浄水にも使用できる。また、衣類乾燥時の排気に含まれるリントを捕集するフィルターとしても使用できる。
【産業上の利用可能性】
【００３２】
本発明に係るリントフィルターは、塵埃の捕集及び除去を行うために利用される。また、本発明に係る洗濯機は、リントフィルターを備えた洗濯機として利用される。
【符号の説明】
【００３３】
１  基台
１ａ  上面
１ｂ  背面
２  棒状突起
２ａ  根元
２ｂ  先端
３  カバー体
３ａ  挿入孔
４  パッキン
５  可動機構
６  取り出し部
７  接触ブロック
８  固定ブロック
９  操作レバー
９ａ  傾斜面
９ｂ  端部
１０  リントフィルター
１１  蓋
１２  フィルターケース
１３ａ  挿入側開口
１３ｂ  出口側開口
１４  リント
２０  洗濯機
２０ａ  ドア
２０ｂ  回転ドラム
２０ｃ  モータ
２０ｄ  槽体
２１ａ、２１ｂ、２１ｃ  循環ダクト
２２  加熱手段
２３  送風手段（ファン）
２４  フィルター清掃装置
２５ａ  機内排水ホース
２５ｂ  排水管
２６  排水弁
【図１】
2019110985.tif 000003
【図２】
2019110985.tif 000004
【図３】
2019110985.tif 000005
【図４】
2019110985.tif 000006
【図５】
2019110985.tif 000007
【図６】
2019110985.tif 000008
【図７】
2019110985.tif 000009
【図８】
2019110985.tif 000010
【図９】
2019110985.tif 000011
【図１０】
2019110985.tif 000012
【図１１】
2019110985.tif 000013